(57)【要約】【課題】火炎に対して素早く感応して火のまわりを抑制できる防炎体を得ることにある。【解決手段】防炎体４１を建物の壁体内空間４ａに対する通気の出入り部分２９に配置する。この防炎体４１は、未発泡の耐火性発泡剤４２と、この発泡剤から前記通気の風上側に延びる導熱部４４とを具備する。発泡剤４２は、所定温度以下では出入り部分２９を開いた状態に維持するとともに、所定温度を超える温度では出入り部分２９を閉じるように発泡膨張する。床下での火災の場合、発泡剤４２に連続する導熱部４４は、発泡剤４２より火元に近いので、発泡剤４２の温度上昇より先行して昇温する。それにより、発泡剤４２を素早く昇温させてその発泡を速やかに促すようにしている。【選択図】　　図５
2004052247.tif 000002
【特許請求の範囲】
【請求項１】
建造物の通気空間に対する通気の出入り部分に配置され、所定温度以下では前記出入り部分を開いた状態に維持するとともに、所定温度を超える温度では前記出入り部分を閉じるように発泡膨張する耐火性発泡剤と、この発泡剤に連続して前記通気の風上側に延びる導火部又は導熱部と、を具備する防炎体。
【請求項２】
建造物の壁体用横架材に設けられた横架材通孔に挿入される筒状部と、この筒状部に設けられ所定温度以下では前記筒状部の内側通路を開いた状態に維持するとともに、所定温度を超える温度では前記内側通路を閉じるように発泡膨張する耐火性発泡剤と、この発泡剤に連続して前記通気の風上側に延びる導火部又は導熱部と、を具備する防炎体。
【請求項３】
請求項１又は２に記載の防炎体において、前記導火部又は導熱部が前記発泡剤より小さく形成されている。
【請求項４】
請求項１から３の内のいずれか１項に記載の防炎体において、前記導火部が前記発泡剤と一体に形成されている。
【請求項５】
請求項１から３の内のいずれか１項に記載の防炎体において、前記導熱部が金属で形成されている。
【請求項６】
壁体内空間及びこの空間に対する通気の出入り部分を有して、床下空間と小屋裏空間とを連通可能に形成された建物の壁体において、
前記出入り部分に請求項１から５の内のいずれか１項に記載の防炎体を配置してなる建物の壁体。
【請求項７】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、
前記壁体の壁体内空間に対する通気の出入り部分に請求項１から５の内のいずれか１項に記載の防炎体を配置してなる建物。
【発明の詳細な説明】
【０００１】
【発明の属する技術分野】
本発明は、例えば建物の床下空間から小屋裏空間への通気をとるための壁体内通気路等の通気空間に、通気と延焼防止のために設けられる防炎体、及びこの防炎体を備える建物の壁体、並びにこの壁体を備える木造住宅等の建物に関する。
【０００２】
【従来の技術】
木造住宅において、壁体の壁体内通気路に配置される横架材の幅を壁体の幅と同じとすることは、この横架材をファイアーストップ材として機能させることができる。しかし、横架材がファイアーストップ材を兼ねる場合には、外装材の内側に外気を流通させる壁体内通気路（通気空間）を設けることができない。そのため、建物躯体内部に湿気又は熱気が滞留し易い。この点に配慮して横架材に通気孔を設けることが提案されている。この場合、火災の発生に伴い、壁体内通気路を通して火炎が上方に広がって、階上への延焼を助長する恐れがあるので、こうしたことがないようにする配慮が必要である。
【０００３】
特開平８−１３５０３８号公報には、壁体内通気路を通して火炎の上方への広がりを抑制できる防火遮断板が記載されている。この防火遮断板は、木材又は金属製その他各種材質の板材に設けた複数の通気孔の内面に、火災時の熱により発泡膨張して通気孔を塞ぐパイプ状の耐火性発泡剤を配設してなる。この発泡剤は板材から突出することなく設けられている。又、実開平６−７８４１４号公報では、建物の通気空間の出入り部分に未発泡の耐火性発泡剤を有したシートを貼着して、その発泡剤を火災時の熱により発泡膨張させ、通気空間の通気を遮断して延焼を防止する技術が提案されている。
【０００４】
【発明が解決しようとする課題】
前者の公報に記載の防火遮断板は、板材に開けた通気孔内に発泡剤全体を設けている。この構成では、火災時の火炎が作用した場合、熱伝導性が悪い木製等の板材の温度上昇に見合って発泡剤が温度上昇するので、火災時の熱に発泡剤が素早く感応することが難しい。又、後者の公報に記載の技術でも、火災時の火炎が発泡剤を有したシートに達して、発泡剤が所定温度に上昇するのを待って始めて通気遮断機能を発現するので、火災時の熱に発泡剤が素早く感応することが難しい。したがって、いずれの従来技術でも、発泡剤が充分機能するまでには、煙が上方へ拡散し易く、火のまわりを抑制する信頼性が低い。
【０００５】
本発明が解決しようとする課題は、火炎に対して素早く感応して火のまわりを抑制可能な防炎体、建物の壁体、及び建物を得ることにある。
【０００６】
【課題を解決するための手段】
前記課題を解決するために、請求項１に係る発明の防炎体は、建造物の通気空間に対する通気の出入り部分に配置され、所定温度以下では前記出入り部分を開いた状態に維持するとともに、所定温度を超える温度では前記出入り部分を閉じるように発泡膨張する耐火性発泡剤と、この発泡剤に連続して前記通気の風上側に延びる導火部又は導熱部と、を具備している。
【０００７】
この請求項１及び以下の各発明では、前記導火部又は導熱部を前記発泡剤より小さくするとよい。又、この請求項１の発明の防炎体が導火部を備える場合、この導火部を発泡剤と一体に形成することができ、請求項１の発明の防炎体が導熱部を備える場合、この導熱部を金属で形成するとよい。
【０００８】
請求項１及び以下の各発明で、導火部とは、それ自体が発泡剤に先行して燃えていわゆる導火線のように火炎を発泡剤に導く機能を発現するものを意味し、又、導熱部とは、それ自体燃えることはないが火炎の熱を発泡剤に先行して吸収し熱伝導により発泡剤に導く機能を発現するものを意味し、この導熱部には、アルミニューム及びその合金や銅及びその合金、若しくは鉄の板等を好適に使用できる。又、この請求項１の発明で、通気空間とは、外断熱が施された建物等の建造物である場合には、断熱材の外側に沿う外側通気層を作る空間、及びファイアーストップ材を境に上下に隣接して壁体内に内側通気層としての壁体内通気路を作る壁体内空間との内の少なくとも一方を意味する。
【０００９】
請求項１の発明の防炎体の発泡剤は、非火災時には未発泡の状態にあるので、通気空間の出入り部分は開かれたままであり、通気空間を通る通気を可能とする。この発泡剤は、火災時に作用する火炎や熱風の熱を受けた場合に、所定温度で通気空間の出入り部分を閉じるように発泡膨張して、前記通気を断つ。この場合、発泡剤の風上側に連続した導火部又は導熱部は、火元に近いので、発泡剤の温度上昇に先行して昇温する。それにより、導火部が燃えたり、或いは導熱部の熱が発泡剤に熱伝導されるので、発泡剤を素早く昇温させてその発泡を速やかに促し、通気の出入り部分を閉じる機能を発現させることができる。
【００１０】
又、前記課題を解決するために、請求項２に係る発明の防炎体は、建造物の壁体用横架材に設けられた横架材通孔に挿入される筒状部と、この筒状部に設けられ所定温度以下では前記筒状部の内側通路を開いた状態に維持するとともに、所定温度を超える温度では前記内側通路を閉じるように発泡膨張する耐火性発泡剤と、この発泡剤に連続して前記通気の風上側に延びる導火部又は導熱部と、を具備している。
【００１１】
この請求項２の発明の防炎体は、その筒状部を横架材の横架材通孔に挿入して用いられ、非火災時には、筒状部内の発泡剤が未発泡状態にあるので、筒状部の内側通路は開かれたままである。そのため、防炎体を通る通気が可能となる。筒状部内の発泡剤は、火災時に主に下方から作用する火炎や熱風の熱で昇温し、所定温度で通気空間の出入り部分を閉じるように発泡膨張して、前記通気を断つ。この場合、発泡剤の風上側に連続した導火部又は導熱部は、火元に近いので、発泡剤の温度上昇に先行して昇温する。それにより、導火部が燃えたり、或いは導熱部の熱が発泡剤に熱伝導されるので、発泡剤を素早く昇温させてその発泡を速やかに促し、内側通路を閉じる機能を発現させることができる。
【００１２】
又、前記課題を解決するために、請求項６に係る発明の建物の壁体は、壁体内空間及びこの空間に対する通気の出入り部分を有して、床下空間と小屋裏空間とを連通可能に形成された建物の壁体において、前記出入り部分に請求項１から５の内のいずれか１項に記載の防炎体を配置している。
【００１３】
この請求項６の発明は、請求項１から５の内のいずれか１項の防炎体を備えているので、非火災時には壁体内通気路を通る通気を可能とでき、火災時には防炎体の発泡剤を素早く発泡膨張させて前記通気を断つことができる。
【００１４】
又、前記課題を解決するために、請求項７に係る発明の建物は、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、前記壁体の壁体内空間に対する通気の出入り部分に請求項１から５の内のいずれか１項に記載の防炎体を配置している。
【００１５】
この請求項７の発明は、請求項１から５の内のいずれか１項の防炎体を設けた壁体を備えているので、非火災時には壁体内通気路を通る通気を可能とでき、火災時には防炎体の発泡剤を素早く発泡膨張させて前記通気を断つことができる。
【００１６】
【発明の実施の形態】
以下、図１〜図４を参照して本発明の第１実施形態を説明する。
【００１７】
図１中符号１で示す建造物例えば建物は、外断熱を施した木造住宅であるとともに、外側通気空間としての外側通気層２と、内側通気空間（又は内側通気層とも称する。）としての壁体内通気路３とを備えている。
【００１８】
外断熱を施すとともに外側通気層２を設けるために、建物１の躯体をなす壁体４の外側に断熱材５（第１の外壁）が外張りされているとともに、更に、この断熱材５の外面との間に所定の隙間を設けて外装材６（第２の外壁）が外張りされている。断熱材５には、プラスチック系断熱材例えば独立発泡された発泡ポリスチレンを一層又は複層としたボードを好適に使用できる。更に、断熱材５には、難燃性又は不燃性のフェノールフォーム、ＡＬＣ（軽量発泡コンクリート）、耐熱性合成樹脂の板等を使用でき、断熱材が難燃性の場合は断熱材の屋内側面に後述する面材３９などを配置するとよい。この断熱材５と外装材６との間には上下方向に延びる図示しない胴縁が挟まれていて、これらの部材によって壁体４の外側に外側通気層２を形成する前記隙間が確保されている。
【００１９】
外側通気層２の下端は雨仕舞のための水切りまわりで大気中に連通されている。建物１の小屋裏空間７も外断熱を施されている。そのために、図１に示すように外装材をなす屋根材８の裏側に小屋裏断熱材９が配設され、これらの間に屋根部外側通気層１０が形成されている。小屋裏断熱材９と断熱材５とは連続している。外側通気層１０の下側に壁体４まわりの前記外側通気層２の上端が連通されているとともに、外側通気層１０の上部は屋根部に設けた図示しない排気口に連通されている。なお、外側通気層２は軒下で止まっていて外側通気層１０とは連通していなくてもよい。
【００２０】
建物１の上部に小屋裏空間７を区画する小屋裏断熱材９には、前記断熱材５と同種の断熱材を使用できる。建物１の上部には、小屋裏換気部として例えば小屋裏空間７と屋外との連通を任意に開閉できる１以上の小屋裏ダンパ１１が取付けられている。このダンパ１１は、手動又は電動により開閉できるものであって、ドレーキップ窓や天窓等の開口部開閉用の通常の建具を包含し、又、電動ファンを備える換気扇も包含する。
【００２１】
図１〜図３中符号１２は建物１の基礎コンクリート１３によって区画された床下空間を示している。基礎コンクリート１３は所定箇所に１以上の換気口１４を有している。基礎コンクリート１３には、床下換気部として例えば換気口１４を手動又は電動により任意に開閉できる床下ダンパ１５が取付けられている。
【００２２】
断熱層１３ａが施された基礎コンクリート１３上には土台１６が固定されている。この土台１６上には壁体内通気路３を有する軸組構造の壁体４が設けられている。壁体４は、上端部が小屋裏空間７に臨む柱２１、土台１６、桁２２、胴差又は梁３８、ファイアーストップ材としての機能を有する縦横区画材のうち少なくとも横区画材、すなわち、横架材２３〜２５、及び図示しない筋交いなどを軸組に緊結して構成されている。なお、図１中符号３９は、壁体４等の屋外面に配置された合板などの面材を示し、断熱材５、９の屋内面を覆っていて、断熱材５、９が直接火炎に晒されないようにしている。
【００２３】
ファイアーストップ材として機能する前記縦横区画材は、鉄などの不燃材や、所定厚みを有する木材などの炭化層を形成し得る材料からなり、木材の場合の厚みは例えば３０ｍｍ以上とすればよい。各横架材２３〜２５は、いずれも壁体４の幅と同じ幅の木材で作られている。この木材としては、杉、松、米つがなどの無垢材又は構造用集成材といったものを例示できる。横架材２３〜２５の居住空間側の面には壁用内装材２６が釘打ちや接着等により取付けられている。内装材２６は、内装下地材およびこの表面に張られて居住空間に臨む石膏ボードなどからなる。内装材２６の下端には床体を構成する面材例えば耐力面材２７が連結され、これらの耐力面材２７は階下用又は階上用の床根太２８又は３２上に個別に支持されている。
【００２４】
床下空間１２に臨んだ階下用耐力面材２７は、土台１６上に端部２８ａを支持された階下用床根太２８上に取付けられている。そのため、階下用床根太２８の厚み分の隙間からなる通気の出入り部分２９が設けられ、この部分２９を介して壁体４の最も下側の壁体内空間４ａと１階の床下空間１２とが連通されている。最も上位置の横架材２３の上側部分は小屋裏空間７に連通されている。
【００２５】
２階や３階などの階上の床体をなす耐力面材２７を下側から支持する床根太３２の端部３２ａは、胴差又は梁３８上に支持されている。そのため、階上用床根太３２に応じた隙間からなる通気の出入り部分２９が設けられている。この出入り部分２９を介して階上と階下との間の階上用床下空間３４と胴差又は梁３８より上側の壁体内空間４ｃ部分とが連通している。又、階上用床下空間３４は胴差又は梁３８のより下側の壁体内空間４ｃ部分と連通されている。
【００２６】
上下に隣接する横架材２３、２４間の壁体内空間４ｂは、横架材２３を厚み（上下）方向に貫通して設けられた１以上好ましくは複数の防炎体３１を通って小屋裏空間７と連通されている。壁体内空間４ｂの下側で胴差又は梁３８を間に置いてその上下に配設された横架材２４、２５間の壁体内空間４ｃは、横架材２４を厚み（上下）方向に貫通して設けられた１以上好ましくは複数の防炎体３１を通って上側の壁体内空間４ｂと連通されている。壁体内空間４ｃとその下側の壁体内空間４ａとは、これらの間を仕切った横架材２５を厚み（上下）方向に貫通して設けられた１以上好ましくは複数の防炎体３１を通って連通されている。いずれの筒状体３１の下部も、それが貫通した横架材２３〜２５の下方に突出されていて、下方からの火炎を横架材２３〜２５より先に受けるようになっている。各防炎体３１の構成については後述する。
【００２７】
図１中符号３６は居住空間の天井をなす階下用又は階上用の内装材を示し、前記縦方向の壁用内装材２６の上部にほぼ直角に連なって配設されている。この天井用内装材３６は、内装下地材、この表面に張られて居住空間に臨む石膏ボード、及び内装下地材の裏面に必要により設けられる図示しない吸音層などからなる。
【００２８】
階下及び階上の通気の出入り部分２９には、通常時は出入り部分２９を開放し、火災時には出入り部分２９を閉じるように機能する図３（Ａ）又は（Ｂ）に示した防炎体４１が配置されている。
【００２９】
図３（Ａ）の防炎体４１は、未発泡の耐火性発泡剤４２と、これに連続して一体に形成された導火部４３とを備えている。耐火性発泡剤４２は、土台１６に載置できる幅を有して例えば帯状をなしているとともに、その一側に開放する切欠き４２ａを複数有している。切欠き４２ａは階下用の床根太２８の端部２８ａを収容できる大きさに設けられている。発泡剤４２は土台１６から外れないように土台１６の上面に配置される。この配置のために、釘打ちにより発泡剤４２を土台１６に固定してもよく、又、発泡剤４２を土台１６に接着剤を用いて接着してもよく、或いは、発泡剤４２の一面に図示しない接着層を設けて、この接着層で土台１６の上面に接着する構成としてもよい。
【００３０】
発泡剤４２としては、炭化成分、炭化促進剤、発泡主剤、及びバインダ、そして必要に応じて添加される可塑剤、並びに充填剤を含む耐熱性樹脂塑性物を例示できる。炭化成分はカーボンを生成させる主成分である。炭化促進剤は炭化成分のカーボン化を促進させる成分である。発泡主剤は発泡を担う主成分である。バインダは前記各材料を結合して耐熱性樹脂塑性物の物性を改善するものである。そして、可塑剤は、耐熱性樹脂塑性物に柔軟性を付与して成形性を高める機能を有し、充填剤は、耐熱性樹脂塑性物の不燃性を高めかつ発泡密度を高める機能を有する。
【００３１】
この発泡剤４２は、木材の耐熱温度以下の所定温度で高倍率発泡（例えば１０〜３０倍発泡）する性能を有している。前記発泡を開始する温度は、例えば６００℃〜２５０℃好ましくは２００℃〜２５０℃であり、この温度を超える温度では発泡が完了して、この発泡により、床下空間１２、３４から壁体内空間４ａ、４ｃに向けて出入り部分２９を通る通気を実質的に遮断できるように通気の出入り部分２９を閉じるようになっている。そのための発泡剤４２の厚みは１ｍｍ程度とすることが可能である。このため、未発泡状態の発泡剤４２によって出入り部分２９の流路断面積が減ることは実質的に無視でき、出入り部分２９には壁体４内の通気に必要な流路断面積を確保できる。なお、発泡剤４２には、前記例示のものの他に、熱で燃えて、膨らんで、この膨らみ状態で固体となる一般市販品を用いることができる。
【００３２】
発泡剤４２と同材質の導火部４３は、好ましくは発泡剤４２より小さく形成され、例えばリボン状をなして、階下用の床根太２８又は階上用の床根太３２の配設ピッチと同間隔で設けられている。このように発泡剤４２より熱容量が小さい導火部４３は、風上側、すなわち前記出入り部分２９での配置については床下空間１２内に延びて、例えば自重により垂れ下がるように設けられている。
【００３３】
このような防炎体４１の導火部４３は、床下空間１２側から壁体内空間４ａに向かう火炎や熱風に対して、発泡剤４２より火元側に近く位置される。このため、図３（Ａ）の防炎体４１では、床下空間１２又は３４側から壁体内空間４ａ又は４ｃに向かう火炎や熱風を、発泡剤４２より先に導火部４３が受けて、この導火部４３が発泡剤４２の温度上昇より先に昇温して燃えるので、この燃焼に伴う熱を、導火部４３の下流側に連続する発泡剤４２に波及させることができる。したがって、発泡剤４２を素早く昇温させその発泡を速やかに促して、この発泡剤４２による出入り部分２９の閉塞機能を発現させて、この閉塞機能を維持することができる。
【００３４】
図２及び図３（Ｂ）に示す防炎体４１は、未発泡の耐火性発泡剤４２と、導熱部４４を一体に有して発泡剤４２の一側面（例えば下面）に積層された熱伝導層４５とを備えている。発泡剤４２は図３（Ａ）の防炎体４１が備える発泡剤４２と同じである。発泡剤４２と熱伝導層４５とは互いに面接触して熱伝導的に接合されている。熱伝導層４５は切欠き４２ａを有している。熱伝導層４５は、発泡剤４２及び木材よりも遥かに熱伝導性に優れた材料、好ましくは薄板状の金属、例えばアルミニューム板や鉄板等で作られている。
【００３５】
この防炎体４１は土台１６又は梁３８から外れないように土台１６又は梁３８の上面に配置される。この配置のために、釘打ちにより防炎体４１を土台１６又は梁３８に固定してもよく、又、熱伝導層４５を土台１６又は梁３８に接着剤を用いて接着してもよく、或いは、熱伝導層４５に図示しない接着層を設けて、この接着層で土台１６又は梁３８に接着する構成としてもよい。
【００３６】
導熱部４４は発泡剤４２より小さく形成され、例えばリボン状をなして、床根太２８又は３２の配設ピッチと同間隔で設けられている。これらの導熱部４４は、いずれも熱伝導層４５を介して発泡剤４２に連続し、かつ、風上側、すなわち前記出入り部分２９での配置については床下空間１２又は３４内に延びて、例えば垂れ下がるように曲げて設けられている。
【００３７】
このような防炎体４１の導熱部４４は、床下空間１２側から壁体内空間４ａに向かう火炎や熱風に対して、発泡剤４２より火元側に近く位置される。このため、図２及び図３（Ｂ）の防炎体４１では、床下空間１２又は３４側から壁体内空間４ａ又は４ｃに向かう火炎や熱風を、発泡剤４２より先に導熱部４４が受けて、この導熱部４４が発泡剤４２の温度上昇より先に昇温するので、この熱を、導熱部４４の下流側に連続する発泡剤４２に熱伝導層４５を介して速やかに波及させることができる。したがって、発泡剤４２を素早く昇温させその発泡を速やかに促して、この発泡剤４２による出入り部分２９の閉塞機能を発現させて、この閉塞機能を維持することができる。
【００３８】
壁体４の壁体内空間４ａ〜４ｃのいずれかに臨む木部の内、横架材２３〜２５の夫々には、上下方向に貫通する横架材通孔５１が１以上開けられている。これらの通孔５１の寸法、形状、相互間隔、位置等は、必要な構造強度を損なわない範囲で任意に設定できる。
【００３９】
各横架材通孔５１に縦に挿入された前記筒状の防炎体３１は、同じ構成であり、図４に示すように筒状部５６と、孔塞ぎ凸部５７と、未発泡の耐熱性発泡剤５８と、導火部５９とを備えている。
【００４０】
筒状部５６は、横架材通孔５１による断面欠損を補えるように木材と同等以上の強度を有し、かつ、木材の耐熱温度（木材の着火温度２６０℃〜２９０℃）よりも高い耐熱温度を有する合成樹脂や金属で作られていて、好ましくは合成樹脂よりも熱伝導性に優れた金属、より好ましくは材料コストが安価な鉄系材料で例えば円筒形状に形成されている。筒状部５６の軸方向両端はいずれもが開放されている。この筒状部５６の軸方向に延びる内部空間、つまり内側通路５６ａは、壁体内空間４ａ、４ｂ、４ｃに対する通気の出入り部分として機能する。筒状部５６は、好ましい例として下枠２６の厚みより長く形成され、その下端には横架材通孔５１への挿入性を高めるために面取りが施されている。
【００４１】
孔塞ぎ凸部５７は、筒状部５６と一体であって、この筒状部５６の例えば上端好ましくは全周に渡り連続する円形のフランジとして設けられている。なお、この孔塞ぎ凸部５７は、筒状部５６とは別に形成されたパイプやワッシャー等を筒状部５６に取付けて設けることもできる。この孔塞ぎ凸部５７の径は、横架材通孔５１とこれに挿入された筒状部との間に隙間がある場合に、この隙間を通って火炎が回らないように、横架材通孔５１の径より数倍大きく形成されている。
【００４２】
耐火性発泡剤５８は前記発泡剤４２と同じである。この発泡剤５８は、塗膜や接着テープ（接着シール）の形で筒状部５６の内面に接合して設けられている。なお、発泡剤５８は本実施形態のように筒状部５６の内面全体ではなく、筒状部５６の軸方向の一部にだけ設けることができるとともに、発泡剤５８はあらゆる方向に膨張するので、完全に筒状部５６の内周面の全周にわたって環状に設けることも必須ではない。発泡剤５８を筒状部５６の少なくとも下端部に設けることは、より先に火炎を受けられるので好ましい。この未発泡の発泡剤５８が発泡することにより、内側通路５６ａを通る通気が実質的に遮断されるように内側通路５６ａが閉じられるようになっている。
【００４３】
導火部５９は、発泡剤５８と一体に形成され、この導火部５９の下端からリボン状をなして下方に、言いかえれば、通気の出入り部分としての内側通路５６ａの風上側に延びて設けられている。
【００４４】
防火体３１は、横架材通孔５１の内面との間に僅かな隙間を設けて横架材通孔５１に挿通し、或いは横架材通孔５１に圧入して、横架材２３〜２５の夫々に取付けられている。横架材２４に取付けられた防火体３１の内側通路５６ａにより、壁体内空間４ｂ、４ｃが互いに連通され、横架材２５に取付けられた防火体３１の内側通路５６ａにより、壁体内空間４ａ、４ｃが互いに連通されている。又、梁３８の上下は階上用床下空間３４を介して連通されている。これらの連通により、壁体４内を上下方向に通気できる壁体内通気路３が形成される。この通路３の下側は前記出入り部分２９により床下空間１２に連通され、上側は横架材２３に取付けられた筒状体３１の内側通路５６ａを介して小屋裏空間７に連通されている。
【００４５】
そのため、結果的に床下空間１２と小屋裏空間７とは、内側通気層をなす壁体内通気路３によって連通されている。したがって、床下空間１２から壁体内通気路３をへて小屋裏空間７に至る内側通気により、壁体４内の排熱・排湿ができるとともに、床下空間１２と小屋裏空間７との温度差による空気密度差で生じる対流によって、居住者に与える住まい心地を向上させることができる。なお、階下の天井用内装材３６と階上の面材２７との間に形成される階上床下空間３４内の空気も、前記内側通気に取り込んで排出させることができる。
【００４６】
以上の壁体内通気路３を有する枠組構造の壁体４の横架材２３〜２５は、いずれもファイアーストップ材として機能する。壁体４に火災による火炎が波及した場合、その火炎や熱風は壁体内通気路３内の筒状体５１の上方に通過しようとする。
【００４７】
しかし、金属製の筒状部５６は、この金属より熱伝導率が悪い木製横架材２３〜２５よりも素早く温度が上がり易いため、火災時に主に下方から作用する火炎や熱風の熱により、横架材２３〜２５よりも速やかに筒状部５６が加熱される。そのため、横架材２３〜２５が発火温度に達する以前に、筒状部５６内の未発泡の耐熱性発泡剤５８が、所定温度以上に昇温されて発泡膨張して、筒状部５６の内側通路５６ａを実質的に閉塞し、この閉塞機能を維持する。これにより、壁体内通気路３での通気を断って火炎が上方に延焼することを抑制できる。
【００４８】
ところで、防炎体３１は、発泡剤５８より熱容量が小さく、壁体内通気路３の通気方向の風上に垂れ下がるように設けられている導火部５９を有している。この導火部５９は、壁体内通気路３を上方に向かおうとする火炎や熱風に対して、発泡剤５８より火元側に近く位置される。
【００４９】
このため、火炎や熱風を、発泡剤５８より先に導火部５９が受けて、この導火部５９が発泡剤５８の温度上昇より先に昇温して燃えるので、この燃焼に伴う熱を導火部５９の下流側に連続する発泡剤５８に波及させることができる。したがって、発泡剤５８を素早く昇温させその発泡を速やかに促して、この発泡剤５８による内側通路５６ａの閉塞機能を発現させることができる。
【００５０】
なお、導火部５９に代えて、図４（Ｃ）中２点鎖線で示すように筒状部５６の下端から下方に突出する導熱部６０を筒状部５６と一体に設けてもよい。この場合にも、壁体内通気路３を上方に向かおうとする火炎や熱風に対して、発泡剤５８より火元側に近く導熱部６０が位置されるため、発泡剤５８より先に導熱部６０が火炎を受けて、この導熱部６０が発泡剤５８の温度上昇より先に昇温するので、この熱を、導熱部６０の下流側に連続する発泡剤５８に筒状部５６を介して波及させることができる。したがって、発泡剤５８を素早く昇温させその発泡を速やかに促して、この発泡剤５８による内側通路５６ａの閉塞機能を発現させることができる。又、この導熱部６０に前記導火部５９を重ねて実施することもできる。
【００５１】
以上のように前記防炎体３１及び４１を用いることにより、非火災時には壁体内通気路３を通る通気を可能とでき、火災時には、防炎体３１及び４１の導火部４３、５９又は導熱部４４、６０により、防炎体３１及び４１の発泡剤４２及び５８を素早く昇温させて前記通気を断つことができるので、火炎に対して素早く発泡剤３１、４１を感応（発泡）させて火のまわりを抑制可能とできる。
【００５２】
以下、第２〜第５の実施形態を説明する。これらの実施形態は基本的には第１実施形態と同じ構成であるので、同じ構成には第１実施形態と同じ符号を付して、その構成および作用の説明を省略し、異なる部分について説明する。
【００５３】
図５及び図６に示す本発明の第２実施形態は、土台１６上に直接防炎体４１を配置するのではなく、土台１６と階下用床体をなす耐力面材２７の壁体内空間４ａへの突出縁部２７ａとの間に挟設した木製、鉄製、又は合成樹脂製などのかまし材６１に、図３（Ａ）又は図３（Ｂ）と同様な防炎体４１を取付けた構成を例示している。縁部２７ａとともに土台１６に釘打ちされるかまし材６１を設けたことにより、建物の構造強度が高くなり耐震性及び耐風性を向上できる。
【００５４】
このかまし材６１には、床下空間１２から壁体内空間４ａへと流通する通気の出入り部分２９が、図６（Ａ）に示すように間隔的に設けた切欠き、又は図６（Ｂ）に示すように間隔的に設けた通孔で形成されている。これらの出入り部分２９には、その大きさに適合する防炎体４１が配置されている。防炎体４１は少なくとも一つの導熱部４４（又は導火部４３でもよい。）を有している。
【００５５】
以上の説明以外の構成は、図示されない部分を含めて第１実施形態と同じである。よって、この第２実施形態でも、導熱部４４又は導火部４３を備えた防炎体４１を用いたことにより、第１実施形態と同様な作用によって床下空間１２から壁体４内へ侵入しようとする火のまわりを抑制できる。なお、第２実施形態のファイアーストップ構造（防火区画）は、１階床下まわりだけではなく、２階や３階などの階上でのファイアーストップ構造として実施できる。
【００５６】
図７に示す本発明の第３実施形態では、階上側壁体用内装材２６の上端部を桁２２に達するまで延長し、この上端部に間隔的に切欠き（一つのみ図示）６５を設けて、これらの切欠き６５により小屋裏空間７と壁体内空間４ｂとを連通させている。そして、階上側壁体用内装材２６の裏面に取付けられた天井受材６６と桁２２との間に木製のかまし材６１を取付けている。このかまし材６１は図６（Ａ）のかまし材と同様である。このかまし材６１の切欠きからなる出入り部分２９には、導熱部４４（又は導火部４３でもよい。）を有した防炎体４１が配置されている。
【００５７】
以上の説明以外の構成は、図示されない部分を含めて第１実施形態と同じである。よって、この第３実施形態でも、導熱部４４又は導火部４３を備えた防炎体４１を用いたことにより、第１実施形態と同様な作用によって壁体４内から小屋裏空間７内への火のまわりを抑制できる。
【００５８】
図８及び図９に示す第４実施形態では、建物の構造強度とともに耐震性を向上するためのかまし材を兼ねる防炎体７１を使用する構成を例示している。
【００５９】
この防炎体７１は、木材と同等以上の強度を有する金属製の筒状部７２と、導熱部７３と、未発泡の耐火性発泡剤７４とを備えている。筒状部７２は好ましい例として略四角筒状に形成されている。この筒状部７２をなす周壁、詳しくは一対の互いに相対向する平行な壁には複数の固定孔７５が等間隔又は不等間隔に開けられ、他の一対の相対向する平行な壁には複数の通孔７６が等間隔又は不等間隔に開けられている。発泡剤７４は筒状部７２の内面の少なくとも一部に接合されている。所定温度以下では通孔７６を開いた状態に維持するとともに、所定温度を超える温度では通孔７６を閉じるように発泡膨張する発泡剤７４には、第１実施形態で例示したものを使用できる。導熱部７３は例えば平板状をなして筒状部７２から一体に突設されている。この導熱部７３は発泡剤７４が内面に取付けられた筒状部７２の壁に面一的に連続している。
【００６０】
この防炎体７１は、固定孔７５或いはこの孔７５が開けられた壁部を通る釘（図示しない）によって階下用床体としての面材２７の縁部２７ａとともに土台１６に釘打ちされて、土台１６と階下用面材２７の縁部２７ａとの間に挟設されている。この配置状態では、床下空間１２と壁体内空間４ａとが、筒状部７２の内部および相対向する通孔７６により連通されているとともに、図８に示すように導熱部７３は筒状部７２の風上側に位置する床下空間１２内に突出されている。
【００６１】
以上の説明以外の構成は、図示されない部分を含めて第１実施形態と同じである。よって、この第４実施形態でも、導火部７３等を備えたかまし材兼用の防炎体７１を用いたことにより、第１実施形態と同様な作用によって階上の床下空間３４から壁体４内への火のまわりを抑制できる。なお、
図１０に示す第５実施形態は、２階や３階等の階上の床下空間と壁体内空間とを連通する通気の出入り部分で通気と防火区画とを確保した構成を例示している。この図１０において、符号２１は柱、３８は梁、２７は階上用の床体をなす面材を示している。面材の縁部２７ａは梁３８の上面に被っており、これらの間の空隙からなる出入り部分に防炎体８１が配置されている。したがって、防炎体８１は階上用床根太に代わるかまし材として縁部２７ａと梁３８との間に挟設されている。縁部２７ａ及び防炎体８１はこれらを貫通する釘などの固定部品（図示しない）で梁３８に固定されている。
【００６２】
防炎体８１は比較的平で細長い例えば金属製の角形筒状部８２を備えている。この筒状部８２の内側には複数の仕切り壁８３が筒状部８２の長手方向に間隔的に設けられている。各仕切り壁８３が延びる方向の筒状部８２の奥行き方向両端はいずれも開口されている。そして、各仕切り壁８３を境にその両側には、耐火性発泡剤８４が、筒状部８２の下側壁内面に接合して設けられている。この耐火性発泡剤８４には第１実施形態で例示したものを使用できる。この耐火性発泡剤８４には例えばこれと一体の導火部８５が設けられている。この防炎体８１は、その導火部８５を階上の床下空間に向けた姿勢で既述のように壁体４に設置されている。
【００６３】
以上の説明以外の構成は、図示されない部分を含めて第１実施形態と同じである。よって、この第５実施形態でも、導火部８５等を備えた防炎体８１を用いたことにより、第１実施形態と同様な作用によって階上の床下空間から壁体４内への火のまわりを抑制できる。しかも、防炎体８１はかまし材を兼用しているので、階上用の面材２７を支持する構成を簡易化しつつ、建物の耐震性及び耐風性を向上できる点で優れている。
【００６４】
なお、本発明は、ファイアーストップ材としての機能を有する壁体の縦横区画材の内、少なくとも横架材などの横区画材に防炎体を取付けて実施できるとともに、１階床下まわりでのファイアーストップ材の使用は本発明では省略することもできる。更に、本発明は、いわゆるツーバイ工法で作られる枠組構造の壁体を備えた木造住宅にも適用可能であり、又、壁体構造の一部を軽量型鋼に置換していわゆるスチールハウスとした建物にも適用可能である。又、本発明は、外断熱を施した建物の外側通気層（外側の通気空間）に前記防炎体３１又は４１或いは７１のいずれかを１以上設けて実施することもできる。しかも、本発明の防炎体は、建物１の外周部（壁体４まわり）だけではなく、建物１内部の間仕切壁等の内部にも設置でき、その使用数や間隔などは任意である。
【００６５】
【発明の効果】
請求項１から５の発明によれば、発泡剤より風上側に位置して発泡剤の温度上昇に先行して昇温する導火部又は導熱部を備えているので、非火災時には建物の通気空間に対する通気の出入り部分を通る通気を確保でき、火災時には火炎に対して発泡剤を素早く発泡させて、火のまわりを抑制可能な防炎体を提供できる。
【００６６】
請求項１から５の内のいずれか１項の防炎体を設けた壁体を備える請求項６の発明、及びこの請求項６の発明の壁体を備える請求項７の発明によれば、非火災時には壁体内通気路を通る通気を可能とでき、火災時には火炎に対して発泡剤を素早く発泡させて、火のまわりを抑制可能な建物の壁、及び建物を提供できる。又、本発明の防炎体は、建物以外の例えば船などの建造物における通気と延焼防止をするためにも適用できる。
【図面の簡単な説明】
【図１】本発明の第１実施形態の建物が備える壁体まわりを示す断面図。
【図２】図１の壁体の土台まわりを示す一部切欠斜視図。
【図３】（Ａ）（Ｂ）は図２の土台まわりの通気出入り部分に配置される異種の防炎体を夫々示す斜視図。
【図４】（Ａ）は図１の壁体に用いる他の防炎体を示す斜視図。
（Ｂ）は図４（Ａ）の防炎体の横断面図。
（Ｃ）は図４（Ａ）の防炎体の縦断面図。
【図５】本発明の第２実施形態の建物が備える壁体の土台まわりを示す断面図。
【図６】（Ａ）（Ｂ）は図５の土台まわりの通気出入り部分に配置される異種のかまし材を夫々防炎体とともに示す斜視図。
【図７】本発明の第３実施形態の建物が備える壁体の小屋裏空間まわりを示す断面図。
【図８】本発明の第４実施形態の建物が備える壁体の土台まわりを示す断面図。
【図９】図８の土台まわりの通気出入り部分に配置される防炎体を示す斜視図。
【図１０】本発明の第５実施形態の建物が備える２階以上の居室床下まわりを示す断面図。
【符号の説明】
１…建物（建造物）
２…外側通気層（通気空間）
３…壁体内通気路（内側通気層）
４…枠組構造の壁体
４ａ、４ｂ、４ｃ…壁体内空間（通気空間）
５…断熱材
６…外装材
７…小屋裏空間
１１…小屋裏ダンパ（小屋裏換気部）
１２…床下空間
１５…床下ダンパ（床下換気部）
１７ａ、１７ｂ…枠体
２３〜２５…横架材
２９…通気の出入り部分
３１…防炎体
４１…防炎体
４２…発泡剤
４３…導火部
４４…導熱部
４５…熱伝導層
５１…横架材通孔
５６…筒状部
５６ａ…筒状部の内側通路（通気の出入り部分）
５８…耐熱性発泡剤
５９…導火部
６０…導熱部
７１…防炎体
７２…筒状部
７３…導熱部
７４…耐熱性発泡剤
７６…通孔
８１…防炎体
８２…筒状部
８４…耐火性発泡剤
８５…導火部
【図１】
2004052247.tif 000003
【図２】
2004052247.tif 000004
【図３】
2004052247.tif 000005
【図４】
2004052247.tif 000006
【図５】
2004052247.tif 000007
【図６】
2004052247.tif 000008
【図７】
2004052247.tif 000009
【図８】
2004052247.tif 000010
【図９】
2004052247.tif 000011
【図１０】
2004052247.tif 000012